(57)【要約】【課題】作業者が梯子を昇降する際の、安全ベルトフックの掛け替え作業をなくし、円滑で且つ安全に昇降する安全器具を提供することにある。【解決手段】梯子１に沿って配設されたガイドロッド２に安全器具Ａを挿入し、２分割した補助ブレーキパッド６ｂにて自重降下を防止し、２分割した載頭円すい状の主ブレーキ金物５ａを本体３の降下により主ブレーキパッド５ｂをガイドロッド２に圧着することによりブレーキを掛け作業者の墜落を防止する。【選択図】図２
2012000406.tif 000002
【特許請求の範囲】
【請求項１】
ガイドロッドに挿入した載頭円すい形の穴を有する本体に２分割した載頭円すい状の金物に各々主ブレーキパッドを配し、該金物と本体を嵌合させ、本体が降下することにより主ブレーキパッドをガイドロッドに圧着させ、作業者の墜落を防止するように構成したことを特徴とする梯子の安全器具。
【請求項２】
載頭円すい形の穴を有する金物を本体に固着し、２分割した載頭円すい状の補助ブレーキを調整ナットにて補助ブレーキパッドを押し上げることにより、補助ブレーキパッドをガイドロッドに圧着し、安全器具の自重降下を防止することを特徴とする請求項１に記載の梯子の安全器具。
【発明の詳細な説明】
【技術分野】
【０００１】本発明は、梯子の安全装置に係り、作業者が梯子を昇降する際に用いる安全器具に関するものである。
【背景技術】
【０００２】高所作業をする際には、一般的に梯子が利用されるが、作業者が梯子を昇降する時は安全ベルトを身体（腰）に締めて、任意の高さを昇降する毎に安全ベルトに装着されているフックをステップに掛け替えながら梯子を昇降する。又、作業員が墜落するのを防止する設備として、特許文献１に記載の「高所作業用安全器具」がある。
【先行技術文献】
【特許文献】
【０００３】
【特許文献１】特開２００８−３０１８７２
【発明の概要】
【発明が解決しようとする課題】
【０００４】梯子に対して安全器具を装着・設置して、この安全器具と共に作業者が昇降し、万一のときはこの安全器具で作業者の墜落を防止するものであるが、特許文献１の安全器具はステップ２本にまたがる長さを有するため、それなりの重量が有り、作業者が引き上げるには労力を要し軽量化が望まれ、又、作業者墜落時の衝撃荷重はステップにてロックしており、且つ作業者を衝撃力から守るためショックアブソーバ機能を有するランヤード等が必要である。【０００５】本発明は、上記の問題に留意して、墜落時の衝撃力を緩和するためブレーキにて減速・停止させることでランヤード等を不要とし、且つ安全器具の軽量化が容易である。さらに、安全器具を着脱自在とし、使用後は取り外し作業が簡単に実施できることをもう一つの課題とする。
【課題を解決するための手段】
【０００６】以上の課題を達成するために、安全器具を梯子に沿って配設されたガイドロッドに挿入し、中空穴を有する２分割した載頭円すい状の金物中心側に主ブレーキパッドを配し、外側をメス形載頭円すい穴を有する本体と嵌合することで、コッターの如く水平力を発生させ、主ブレーキパッドをガイドロッドに強固に押し当て、減速・停止するものである。【０００７】又、主ブレーキ下方に中空穴を有する２分割した載頭円すい状の補助ブレーキパッドを外側をメス形載頭円すい穴を有する金物を配し、前記補助ブレーキパッドを中空穴を有する調整ナットにて押し上げることにより、前記同様に水平力を発生させることで、すべり摩擦力にて安全器具の自重降下を防止する。【０００８】作業者は腰部の安全ベルト付属のリングと安全器具側のシャックルに配されたロープ付フックを該安全ベルト付属のリングに係合し、昇降するものである。【０００９】ここで、万一作業者が何らかの理由で墜落することとなった場合、落下した作業者の体重による衝撃力で本体と２分割した主ブレーキ金物をコッターの如く嵌合させることにより、主ブレーキパッドをガイドロッドに強固に圧着することで減速・停止する。【００１０】自重降下防止用の２分割した補助ブレーキパッドは下方の調整ナットをゆるめてガイドロッドに挿入し、その後調整ナットを締め込んで補助ブレーキパッドをガイドロッドに押付けられるため、安全器具の挿入・取出しが容易である。
【発明の効果】
【００１１】上述した発明の安全器具によれば、作業者が高所作業をするため梯子を昇降する際、梯子に沿って配設されるガイドロッドに挿入された安全器具にロープ付フックを掛けたまま作業者は昇降できるので、片手でいちいちフックをステップに掛け替える必要がなく、掛け替えるわずらわしさを無くし、円滑で安全に昇降することができる。
【図面の簡単な説明】
【００１２】
【図１】（ａ）は安全器具の使用状態を示した側面図、（ｂ）は正面図である。
【図２】側部断面図である。
【図３】図２のＡ−Ａ矢視断面図である。
【発明を実施するための形態】
【００１３】以下、図面に記載の発明を実施するための形態に基づいて、この発明をより具体的に説明する。
図１に示すように、梯子１端部に配されたガイドロッド２は上部を手摺１ａに固着した固定金物２ａに吊り下げられ、下部を手摺１ａに着脱自在にガイドロッド２を支持金物２ｂにて支持している。
【００１４】安全器具Ａをガイドロッド２に挿入する時は、支持金物２ｂを取り外し安全器具ＡをフロアＦＬとの空間Ｃより挿入する。
【００１５】作業者は腰部の安全ベルトＢ付属のリングと安全器具Ａに配されたシャックル１２、ロープ付フックＢＦを掛けて昇降する。
【００１６】安全器具Ａをガイドロッド２への挿入時は図２に示すように、本体３下部に配設した載頭円すい穴を有する金物６ａと嵌合する２分割した載頭円すい状の補助ブレーキパッド６ｂとガイドロッド２とのスキマを確保するため調整ナット７を緩めることで容易に挿入でき、補助ブレーキパッド６ｂの下面に座金８を配設している。
【００１７】図２・３に示すように、本体３の外周端部にはブラケット３ａを溶接等にて固着し、該ブラケット３ａにシャックル１２を配設し、且つ、シャックル１２の旋回を制限するためにストッパ１１を配している。
【００１８】本体３の内面は、載頭円すい穴を有し、２分割された載頭円すい状の主ブレーキ金物５ａと嵌合し、該主ブレーキ金物５ａ内面には、２分割した主ブレーキパッド５ｂを挿入又は接着している。
【００１９】主ブレーキ金物５ａの上部に圧縮ばね９を配し、該圧縮ばね９の反発力により、外側にある本体３、ブラケット３ａ、金物４、ブレーキ開放ボルト１０、金物１０ａ、ストッパ１１、シャックル１２等を浮かせることで主ブレーキ金物５ａと本体３内面とにスキマを生じさせることで、特に作業者の下降時に主ブレーキパッド５ｂとガイドロッド２との引きずりを防止する。
【００２０】金物１０ａは、ブレーキ開放ボルト１０を金物４に組付後に抜け止め用として、該ブレーキ開放ボルト１０に止ねじ等にて固着され、主ブレーキパッド５ｂの摩耗に対抗するためのスキマＣ１を有する。
【００２１】ブレーキ開放ボルト１０は、本体３にボルト等にて固定された金物４にねじにて上下可動に配されている。
【００２２】ここで、万一作業者が何らかの理由でステップ１ｂを踏み外して墜落することとなった場合、落下した作業者の落下荷重はロープ付フックＢＦ、シャックル１２を介して本体３が下降し、主ブレーキ金物５ａを嵌合し、内側へ押し付けられることにより、主ブレーキパッド５ｂとガイドロッド２とでブレーキがかかることにより、安全器具Ａはガイドロッド２を介し、梯子１に対して下方への移動ができなくなるため、作業者・安全器具Ａの墜落が防止される。従って、作業者の万一の墜落事故発生時にも作業者の安全を守ることができる。
【００２３】尚、ブレーキは一瞬でロック停止しないため、ショックアブソーバを備えた安全ロープ等を必要としないものである。
【００２４】ブレーキ開放は、ブレーキ開放ボルト１０を締め込み、本体３と主ブレーキ金物５ａとのスキマＣ１を確保した後、ブレーキ開放ボルト１０を緩め、図２の状態に戻すことにより原状復帰する。
【産業上の利用可能性】
【００２５】本発明の梯子安全器具は新設・既設を問わず、梯子に対してガイドロッドを付設することで装着でき、小型・軽量で経済的な安全器具を提供できる。
【符号の説明】
【００２６】１        梯子
１ａ      手摺
１ｂ      ステップ
２        ガイドロッド
２ａ      固定金物
２ｂ      支持金具
３        本体
３ａ      ブラケット
４        金物
５ａ      主ブレーキ金物
５ｂ      主ブレーキパッド
６ａ      金物
６ｂ      補助ブレーキパッド
７        調整ナット
８        座金
９        圧縮ばね
１０      ブレーキ開放ボルト
１０ａ    金物
１１      ストッパ
１２      シャックル
Ａ        安全器具
Ｂ        安全ベルト
ＢＦ      ロープ付フック
Ｃ        空間
Ｃ１      スキマ
ＦＬ      床面
【図１】
2012000406.tif 000003
【図２】
2012000406.tif 000004
【図３】
2012000406.tif 000005